(57)【特許請求の範囲】
【請求項１】
蛍光増白材を含有する用紙上の測色対象色領域の測色値を求める測色方法において、
第１の光と、該第１の光に含まれる前記用紙の蛍光に影響を与える所定の短波長領域の光がカットされた第２の光とのそれぞれを用いて用紙上の基準色領域を測定した場合に得られる２つの測色値どうしの差異に対応する、前記測色対象色領域の測色値を補正する際の基準となる基準補正量を求める基準補正量取得過程と、
前記第１の光と前記第２の光とのうちの一方の光を用いて、前記測色対象色領域を測色することにより第１の測色値を得る測色過程と、
前記一方の光を用いて、前記測色対象色領域の、少なくとも前記用紙の蛍光光の波長領域の分光反射特性を測定して、測定により得られた、該測色対象色領域の分光反射特性の、所定の短波長領域内の積をｒ、所定の定数をｐとした場合の式であるｋ＝（ｒ−ｐ）２＋ｐで、前記第１の測色値を補正する際の補正の重みｋを求める重み取得過程と、
前記測色過程で得られた前記第１の測色値を、前記基準補正量取得過程で得られた基準補正量と前記重み取得部で得られた重みとに基づいて補正することにより第２の測色値を求める補正過程とを有することを特徴とする測色方法。
【請求項２】
前記基準補正量取得過程は、前記第１の光と前記第２の光とのそれぞれを用いて、前記用紙あるいは該用紙と同一特性の他の用紙上の基準色領域を測色することにより、それぞれ第３の測色値と第４の測色値とを得、前記基準補正量に対応した、これら第３の測色値と第４の測色値との間の差異を表わす値を求める過程であることを特徴とする請求項１記載の測色方法。
【請求項３】
前記基準補正量取得過程は、
前記第１の光と前記第２の光とのそれぞれを用いて、特性の異なる複数の用紙上の各基準色領域を測色して該第１の光を用いたときの第３の測色値と該第２の光を用いたときの第４の測色値との間の差異を表わす値を前記複数の用紙それぞれについて求めるとともに、前記測色過程で採用される前記一方の光を用いて該複数の用紙上の各基準色領域の、少なくとも前記用紙の蛍光光の波長領域の分光反射特性を測定して、該分光反射特性に基づいて前記差異を表わす値に対応する指標値を求めることにより、前記差異を表わす値と前記指標値との対応を表わす対応定義を取得する第１過程と、
前記測色過程で採用される前記一方の光を用いて、測色対象色領域を有する用紙あるいは該用紙と同一特性の他の用紙上の基準色領域の、前記用紙の蛍光光の波長領域の分光反射特性を測定して該分光反射特性に応じた前記指標値を求め、前記第１過程で求められた前記対応定義を参照して、求めた指標値を前記差異を表わす値に変換することにより前記基準補正量を求める第２過程とを有するものであることを特徴とする請求項１記載の測色方法。
【請求項４】
前記基準補正量取得過程は、
前記測色過程で採用される前記一方の光を用いて、測色対象色領域を有する用紙あるいは該用紙と同一特性の他の用紙上の基準色領域の、少なくとも前記用紙の蛍光光の波長領域の分光反射特性を測定して、該分光反射特性に応じた指標値を求め、
あらかじめ取得された、指標値と基準補正量との対応を表わす対応定義を参照して、求めた指標値を基準補正量に変換する過程であることを特徴とする請求項１記載の測色方法。
【請求項５】
前記基準補正量取得過程は、前記測色対象色領域を有する用紙あるいは該用紙と同一特性の他の用紙上の白色領域を測色した場合に得られる２つの測色値どうしの差異に対応する基準補正量を求める過程であることを特徴とする請求項１記載の測色方法。
【請求項６】
前記重み取得過程は、５００ｎｍ以下の波長領域のうちの少なくとも一部の波長領域の分光反射率を測定して該分光反射率に基づいて前記重みを求める過程であることを特徴とする請求項１記載の測色方法。
【請求項７】
前記基準補正量取得過程は、５００ｎｍ以下の所定の短波長の分光反射特性を測定して該分光反射特性に基づいて前記指標値を求める過程であることを特徴とする請求項３又は４記載の測色方法。
【請求項８】
前記基準補正量取得過程は、所定の２つの短波長の分光反射特性を測定して該分光反射特性どうしの差異を表わす値を前記指標値をして求める過程であることを特徴とする請求項３又は４記載の測色方法。
【発明の詳細な説明】
【０００１】
【発明の属する技術分野】
本発明は、用紙上の測定対象色領域、典型的には用紙上のカラーチャートを構成するカラーパッチの測色値を求める測色方法に関する。
【０００２】
【従来の技術】
従来より、例えばカラースキャナあるいは電子スチールカメラ等の入力デバイスで画像（ここでは原稿画像と称する）を取り込んで画像データを得、その画像データに基づいて今度は印刷機あるいはプリンタで、その原稿画像が再生された再生画像を得ることが行なわれている。この場合、入力デバイスに応じた、原稿画像上の色と画像データ上の色とを対応づける色再現特性（プロフィル）と、印刷機やプリンタ等の出力デバイスに応じた、画像データ上の色と再現画像上の色とを対応づける色再現特性（プロファイル）とを求め、入力デバイスで原稿画像から得られた画像データを、それら双方の色再現特性に基づいて出力デバイスに適合した画像データに変換し、その出力デバイス用の画像データに基づいて再生画像を出力する。こうすることにより、もともとの原稿画像の色と一致した色の再生画像を得ることができる。
【０００３】
また、これと同様のことは、出力デバイスどうしの間でも生じる。次に、その例について説明する。
【０００４】
従来より、印刷機を用いてカラー画像印刷を行なうにあたっては、印刷を行なう前に、カラープリンタ等を用いて、その印刷機で印刷される画像の色と極力同じ色に似せたプルーフ画像を作成することが行なわれている。プリンタでプルーフ画像を作成するにあたっては、印刷を行なおうとしている印刷機に対応した、画像データと実際の印刷物の色との関係を記述した色再現特性（印刷プロファイル）と、プリンタに対応した、画像データと実際にプリント出力される画像の色との関係を記述した色再現特性（プリンタプロファイル）とを知り、これらの印刷プロファイルとプリンタプロファイルとに基づいて印刷用の画像データをプリンタ用の画像データに変換し、この変換されたプリンタ用の画像データに基づいてプルーフ画像を作成する。こうすることにより、実際の印刷物の色と一致した色のプルーフ画像を作成することができる。
【０００５】
上記のようにして色を一致させた画像を得るためには、入力デバイスや出力デバイスの色再現特性（プロファイル）を正確に求める必要がある。この色再現特性（プロファイル）を求めるに当たっては、例えば入力デバイスの場合は、カラーパッチが配列されたカラーチャートをその入力デバイスで読み取って画像データに変換し、画像データ上の色空間（デバイス色空間；例えば（Ｃ）、マゼンタ（Ｍ）、イエロー（Ｙ）、および黒（Ｋ）の４色からなるＣＭＴＫ色空間、あるいはレッド（Ｒ）、グリーン（Ｇ）、およびブルー（Ｂ）の３色からなるＲＧＢ色空間等）の座標（ＣＭＹＫ値あるいはＲＧＢ値等）を求めるとともに、その同じカラーチャートを分光測色計で測色して測色色空間（例えばＬ*ａ*ｂ*色空間あるいはＸＹＺ色空間等）の座標（Ｌ*ａ*ｂ*値あるいはＸＹＺ値等）を求め、それらデバイス色空間上の座標と測色色空間上の座標とを対応づけることにより、その入力デバイスの色再現特性（プロファイル）が求められる。
【０００６】
また、出力デバイスの色再現特性（プロファイル）を求めるにあたっては、カラーパッチが配列されたカラーチャートに相当する画像データを作成し、その画像データに基づいて出力デバイスでカラーチャートを出力し、そのカラーチャートを分光測色計で測色し、そのようにして得た画像データ上の色空間（デバイス色空間）の座標と測色色空間の座標とを対応づけることにより、その出力デバイスの色再現特性（プロファイル）が求められる。
【０００７】
ところで、白を強調して画像をより美しく見せるために蛍光増白剤を含有する用紙が市販されている。そのような蛍光増白剤入りの用紙上に原稿画像が記録されている場合、あるいはそのような蛍光増白剤入りの用紙上に印刷画像あるいはプリント画像を出力した場合、プロファイルを作成するときのカラーチャートの測色値の測定に用いた測定光源と、原稿画像、印刷画像、あるいはプリント画像を観察するときにその画像を照明する観察光源とが異なっているとき、その用紙に含まれる蛍光増白剤の発光量が測定光源と観察光源とで異なることによって分光反射率にずれを生じ、測色により得られた値の上では合致しているにもかかわらず、目で観察したときの色が対応しない場合が生じる。
【０００８】
この問題を解決する方法として、測色時に、カラーチャートを構成する各カラーパッチについて、その測定光源の短波長の光をカットした場合とカットしない場合との２通りで測色することにより、蛍光増白剤の発光量を求め、その測色値を観察光源に合わせて補正することが提案されている（特開平１０−１７６９５３号公報参照）。この方法を式で表わすと、以下のとおりとなる。
【０００９】
Ｘ＝Ｘ０＋Ｅｉｌ・（Ｘ１−Ｘ０）
Ｙ＝Ｙ０＋Ｅｉｌ・（Ｙ１−Ｙ０）
Ｚ＝Ｚ０＋Ｅｉｌ・（Ｚ１−Ｚ０）        ……（１）
ここで、Ｘ０，Ｙ０，Ｚ０は、短波長側をカットした測定光源を用いて測定したときのＸＹＺ値であり、Ｘ１，Ｙ１，Ｚ１は、短波長側をカットしない測定光源を用いて測定したときのＸＹＺ値である。また、Ｅｉｌは、蛍光増白剤による影響を示す指数であって、短波長側をカットしない測定光源での蛍光励起光強度をＥL、観察光源での蛍光励起光強度をＥSとしたとき、Ｅｉｌ＝ＥS／ＥLであらわされる。この指数Ｅｉｌは、観察光源等を仮定してあらかじめ定めておくことができる値である。
【００１０】
この従来の方法を採用すると、測色により得られたＸＹＺ値を観察光源で観察したときのＸＹＺ値に補正することができる。
【００１１】
【発明が解決しようとする課題】
ところが、上記提案の方法によれば、短波長側をカットした測定光源とそのようなカットを行なわない測定光源とを用いて、カラーチャートを構成する複数のカラーパッチそれぞれについて２回ずつ測定を行なわなければならず、通常、カラーチャートには何百ものカラーパッチが配列されており、そのような多数のカラーパッチについて２回ずつ測定を行なうのでは測定に長時間を要してしまい、作業性が悪いという問題がある。
【００１２】
本発明は、上記事情に鑑み、蛍光増白剤の影響が補正された実際に観察するときの測色値を作業性よく求めることのできる測色方法を提供することを目的とする。
【００１３】
【課題を解決するための手段】
上記目的を達成する本発明の測色方法は、用紙上の測色対象色領域の測色値を求める測色方法であって、
第１の光と、その第１の光に含まれる所定の短波長領域の光がカットされた第２の光とのそれぞれを用いて用紙上の基準色領域を測定した場合に得られる２つの測色値どうしの差異に対応する、測色対象色領域の測色値を補正する際の基準となる基準補正量を求める基準補正量取得過程と、
上記第１の光と上記第２の光とのうちの一方の光を用いて、測色対象色領域を測色することにより第１の測色値を得る測色過程と、
上記一方の光を用いて、測色対象色領域の、少なくとも所定の短波長領域の分光反射特性を測定して、その分光反射特性に基づいて、上記第１の測色値を補正する際の補正の重みを求める重み取得過程と、
測色過程で得られた第１の測色値を、基準補正量取得過程で得られた基準補正量と重み取得部で得られた重みとに基づいて補正することにより第２の測色値を求める補正過程とを有することを特徴とする。
【００１４】
本発明の測色方法は、用紙上の基準色領域のみ２つの光源を用いて測定して基準補正量を求め、他の領域（例えば何百ものカラーパッチのそれぞれ）については、重みと測色値とを求めて、その測色値を重みと基準補正量とにより補正するようにしたものである。ここで、測色過程では測色値が測定され、重み取得過程では分光反射特性が測定されるが、測色値の測定にあたってはその前提として分光反射率が測定され、通常、測色計からは、測色値と分光反射率との双方が出力される。このため、これらの測色過程及び重み取得過程は、双方合わせて一回の測定で済むことになる。あるいは分光反射率だけを測定し、補正計算を行う演算部内で測定値を求めてもよい。本発明にいう「測色過程」には、このような補正計算を経て測定値を求める態様も含まれる。
【００１５】
ここで、上記本発明の測色方法において、上記基準補正量取得過程は、上記第１の光と上記第２の光とのそれぞれを用いて、上記の用紙あるいはその用紙と同一特性の他の用紙上の基準色領域を測色することにより、それぞれ第３の測色値と第４の測色値とを得、基準補正量に対応した、これら第３の測色値と第４の測色値との間の差異を表わす値を求める過程であってもよい。
【００１６】
単純には、このようにして基準補正量を求めることができる。
【００１７】
また、上記本発明の測色方法において、上記基準補正量取得過程は、
上記第１の光と上記第２の光とのそれぞれを用いて、特性の異なる複数の用紙上の各基準色領域を測色して第１の光を用いたときの第３の測色値と第２の光を用いたときの第４の測色値との間の差異を表わす値をそれら複数の用紙それぞれについて求めるとともに、測色過程で採用される上記一方の光を用いてそれら複数の用紙上の各基準色領域の、少なくとも所定の短波長の分光反射特性を測定して、その分光反射特性に基づいて上記の差異を表わす値に対応する指標値を求めることにより、上記の差異を表わす値と上記指標値との対応を表わす対応定義を取得する第１過程と、
測色過程で採用される上記一方の光を用いて、測色対象色領域を有する用紙あるいはその用紙と同一特性の他の用紙上の基準色領域の、上記所定の短波長の分光反射特性を測定して分光反射特性に応じた指標値を求め、上記第１過程で求められた対応定義を参照して、求めた指標値を上記差異を表わす値に変換することにより基準補正量を求める第２過程とを有するものであることも好ましい形態である。
【００１８】
この形態によれば、上記の対応定義を求める段階でのみ、短波長側をカットした光（上記第２の光）とカットしない光（上記第１の光）との双方を用いる必要があるが、これは、準備段階において、例えばメーカ側で一回行なっておけばよく、実際の測定作業ではいずれか一方の光を用いればよいことになる。
【００１９】
基準補正量取得過程をこのように構成することの長所は、上記したように、例えばメーカ側で一回行なって多数のユーザに配布することができることである。この場合、ユーザに着目したときの基準補正量取得過程を、以下のように表現することができる。すなわち、この場合の上記基準補正量取得過程は、
測色過程で採用される上記一方の光を用いて、測色対象色領域を有する用紙あるいはその用紙と同一特性の他の用紙上の基準色領域の、少なくとも所定の短波長の分光反射特性を測定して、その分光反射特性に応じた指標値を求め、
あらかじめ取得された、指標値と基準補正量との対応を表わす対応定義を参照して、求めた指標値を基準補正量に変換する過程であることが好ましい。
【００２０】
この場合、測定にあたっては、短波長をカットした光源と短波長をカットしない光源のいずれかに固定された光源のみを用意すればよいことになる。
【００２１】
また、上記本発明の測定方法において、上記基準補正量取得過程は、測色対象色領域を有する用紙あるいはその用紙と同一特性の他の用紙上の白色領域を測色した場合に得られる２つの測色値どうしの差異に対応する基準補正量を求める過程であることが好ましい。
【００２２】
本発明では、基準色領域として、例えば所定の濃度のグレーの領域等を採用することもできるが、そのような特別な領域を用意することなく、用紙上の白色領域、すなわち用紙自体を上記基準色領域として採用することができる。
【００２３】
また、上記本発明の測定方法において、上記重み取得過程は、５００ｎｍ以下の波長領域のうちの少なくとも一部の波長領域の分光反射率を測定してその測定された分光反射率に基づいて上記重みを求める過程であることが好ましい。
【００２４】
蛍光増白剤の影響は５００ｎｍ以下の領域であらわれるからである。
【００２５】
さらに、上記本発明の測定方法において、重み取得過程は、測定により得られた、測色対象色領域の分光反射特性の、所定の短波長領域内の積に基づいて、重みを求める過程であることが好ましく、その場合に、その重み取得過程は、上記積の２乗を含む関数に基づいて重みを求める過程であることが好ましい。
【００２６】
後で説明するように、このような演算を採用すると上記重みを適切に求めることができる。
【００２７】
さらに、上記本発明の測定方法のうち、基準補正量取得過程で上記の対応定義を用いる方法を採用したとき、上記基準補正量取得過程は、５００ｎｍ以下の所定の短波長の分光反射特性を測定してその測定した分光反射特性に基づいて上記指標値を求める過程であることが好ましく、あるいは上記基準補正量取得過程は、所定の２つの短波長の分光反射特性を測定してそれら２つの分光反射特性どうしの差異を表わす値を上記指標値をして求める過程であることも好ましい態様である。
【００２８】
５００ｎｍ以下の短波長の分光反射特性に基づいて指標値を求めるのは、蛍光の影響が５００ｎｍ以下の領域に現れることにあり、２つの短波長の分光反射率の差異を指標値として求めるのは、その差異、例えば２つの波長の分光反射率の差分すなわち傾きがその指標値として好ましいからである。
【００２９】
【発明の実施の形態】
以下、本発明の実施形態について説明する。
【００３０】
図１は、本発明の一実施形態が適用された印刷およびプルーフ画像作成システムの全体構成図である。
【００３１】
カラースキャナ１０では、原稿画像１１が読み取られて、その読み取られた原稿画像１１をあらわすＣＭＹＫ４色の色分解画像データが生成される。このＣＭＹＫの画像データはワークステーション２０に入力される。ワークステーション２０では、オペレータにより、入力された画像データに基づく電子的な集版が行なわれ、印刷用の画像をあらわす画像データが生成される。この印刷用の画像データは、印刷を行なう場合は、フィルムプリンタ３０に入力され、フィルムプリンタ３０では、その入力された画像データに対応した、ＣＭＹＫ各版の印刷用フィルム原版が作成される。
【００３２】
この印刷用フィルム原版からは刷版が作成され、その作成された刷版が印刷機４０に装着される。この印刷機４０に装着された刷版にはインクが塗布され、その塗布されたインクが印刷用の用紙上に転移されてその用紙上に印刷画像４１が形成される。
【００３３】
このフィルムプリンタ３０によりフィルム原版を作成し、さらに刷版を作成して印刷機４０に装着し、その刷版にインクを塗布して用紙上に印刷を行なう一連の作業は、大がかりな作業であり、コストもかかる。このため、実際の印刷作業を行なう前に、プリンタ６０により、以下のようにしてプルーフ画像６１を作成し、印刷画像４１の仕上りの事前確認が行なわれる。
【００３４】
プルーフ画像を作成するにあたっては、ワークステーション２０上の電子集版により作成された画像データがパーソナルコンピュータ５０に入力される。ここで、このパーソナルコンピュータ５０に入力される画像データは、いわゆるＰＤＬ（Ｐａｇｅ  Ｄｅｓｃｒｉｐｔｉｏｎ  Ｌａｎｇｕａｇｅ）で記述された記述言語データであり、パーソナルコンピュータ５０では、いわゆるＲＩＰ（Ｒａｓｔｅｒ  Ｉｍａｇｅ  Ｐｒｏｃｅｓｓｏｒ）により、ビットマップに展開されたＣＭＹＫ４色の画像データに変換される。このＣＭＹＫ４色の画像データは、実質的には、フィルムプリンタ３０に入力される印刷用の画像データと同一である。
【００３５】
このＣＭＹＫ４色の印刷用の画像データは、このパーソナルコンピュータ５０の内部で、ＬＵＴ（Ｌｏｏｋ  Ｕｐ  Ｔａｂｌｅ）の形式を持つ色変換定義が参照され、プリンタ６０に適合したＣＭＹＫ４色の画像データに変換される。プリンタ６０には、そのプリンタ用のＣＭＹＫ４色の画像データが入力され、プリンタ６０では、その入力されたプリンタ用のＣＭＹＫ４色の画像データに基づくプルーフ画像６１が作成される。
【００３６】
ここで、印刷機４０による印刷で得られた画像４１とプリンタ６０で得られたプルーフ画像との間の色の一致の程度は、パーソナルコンピュータ５０内の色変換定義により定まる。
【００３７】
この図１に示す分光測色計７０およびパーソナルコンピュータ８０はその色変換定義の作成に関連するものでる。
【００３８】
このようにしてプルーフ画像を作成してそのプルーフ画像を確認することにより、印刷の仕上りを事前に確認することができる。
【００３９】
ここで、この図１に示す印刷およびプルーフ画像作成システムにおける、本発明の一実施形態としての特徴は、パーソナルコンピュータ８０の内部で実行される処理内容に関連があり、以下、先ず、このパーソナルコンピュータ８０について説明する。
【００４０】
図２は、図１にブロックで示す分光測色計７０およびパーソナルコンピュータ８０の外観斜視図、図３は、そのパーソナルコンピュータ８０のハードウェア構成図である。
【００４１】
この図２に示す分光測色計７０には複数のカラーパッチが配列されたカラーチャート９０が乗せられ、そのカラーチャート９０を構成する複数のカラーパッチそれぞれについて測色値（ここではＸＹＺ値とする）が測定される。この分光測色計７０での測定により得られた各カラーパッチの測色値を表わす測色データは、ケーブル９１を経由してパーソナルコンピュータ８０に入力される。
【００４２】
このカラーチャート９０は、図１に１つのブロックで示す印刷機４０での印刷により、あるいはプリンタ６０でのプリント出力により作成されたものであり、パーソナルコンピュータ８０は、このカラーチャート９０を構成する各カラーパッチに対応する色データ（デバイス色空間上の座標；ＣＭＹＫあるいはＲＧＢの各値）を知っており、このパーソナルコンピュータ８０では、そのカラーチャート９０の各カラーパッチの色データと分光測色計７０で得られた測色データとに基づいて、印刷プロファイルやプリンタプロファイルが作成される。この点に関する詳細説明は後に譲り、ここでは、次に、パーソナルコンピュータ８０のハードウェア構成について説明する。
【００４３】
このパーソナルコンピュータ８０は、外観構成上、本体装置８１、その本体装置８１からの指示に応じて表示画面８２ａ上に画像を表示する画像表示装置８２、本体装置８１に、キー操作に応じた各種の情報を入力するキーボード８３、および、表示画面８２ａ上の任意の位置を指定することにより、その位置に表示された、例えばアイコン等に応じた指示を入力するマウス８４を備えている。この本体装置８１は、外観上、フロッピーディスク（登録商標）を装填するためのフロッピーディスク（登録商標）装填口８１ａ、およびＣＤ−ＲＯＭを装填するためのＣＤ−ＲＯＭ装填口８１ｂを有する。
【００４４】
本体装置８１の内部には、図３に示すように、各種プログラムを実行するＣＰＵ８１１、ハードディスク装置８１３に格納されたプログラムが読み出されＣＰＵ８１１での実行のために展開される主メモリ８１２、各種プログラムやデータ等が保存されたハードディスク装置８１３、フロッピーディスク（登録商標）１００が装填されその装填されたフロッピーディスク（登録商標）１００をアクセスするＦＤドライブ８１４、ＣＤ−ＲＯＭ１１０が装填され、その装填されたＣＤ−ＲＯＭ１１０をアクセスするＣＤ−ＲＯＭドライブ８１５、分光測色計７０（図１，図２参照）と接続され、分光測色計７０から測色データを受け取るＩ／Ｏインタフェース８１６が内蔵されており、これらの各種要素と、さらに図２にも示す画像表示装置８２、キーボード８３、マウス８４は、バス８５を介して相互に接続されている。
【００４５】
ここで、ＣＤ−ＲＯＭ１１０には、このパーソナルコンピュータ８０をプロファイル作成装置として動作させるためのプロファイル作成プログラムが記憶されており、そのＣＤ−ＲＯＭ１１０はＣＤ−ＲＯＭドライブ８１５に装填され、そのＣＤ−ＲＯＭ１１０に記憶されたプロファイル作成プログラムがこのパーソナルコンピュータ８０にアップロードされてハードディスク装置８１３に記憶される。
【００４６】
次に、このパーソナルコンピュータ８０内に構築された、色変換定義の作成方法について説明する。
【００４７】
ここでは、先ず印刷プロファイルの作成方法について説明する。
【００４８】
図１に示すワークステーションで例えば０％，１０％，……，１００％と順次変化させたＣＭＹＫ４色の網％データを生成し、前述の印刷手順に従って、そのようにして生成した網％データに基づくカラーチャートを作成する。図１に示す画像４１は、カラーチャートを表わしている画像ではないが、この画像４１に代えて図２に示すカラーチャート９０と同様なカラーチャートを印刷したものとし、そのカラーチャートを構成する各カラーパッチを分光測色計７０で測色する。ここで、カラーチャートが印刷された用紙には蛍光増白剤が含有されている可能性があり、分光測色計７０での測色により得られた測色値（ＸＹＺ値）は後述のようにして補正される。こうすることにより、ＣＭＹＫ４色の色空間上の座標値と測色色空間上の座標値との対応関係をあらわす印刷プロファイルが構築される。
【００４９】
図４は、印刷プロファイルの概念図である。
【００５０】
この印刷プロファイルには、ＣＭＹＫで定義された画像データが入力され、そのＣＭＹＫの画像データがＸＹＺ値で定義された画像データに変換される。
【００５１】
次に、プリンタプロファイルの作成方法について説明する。
【００５２】
このプリンタプロファイルの作成方法は、カラーチャートを出力する出力デバイスが印刷機ではなくプリンタであるという点を除き、印刷プロファイルの作成方法と同様である。すなわち、ここでは、図１に示すパーソナルコンピュータ５０で、各色について０％，１０％，…，１００％と順次変化させたＣＭＹＫ４色の網％データを生成し、そのようにして生成した網％データをプリンタ６０に送り、プリンタ６０でその網％データに基づくカラーチャートをプリント出力する。図１に示す画像６１は、カラーチャートをあらわしている画像ではないが、プリンタ６０では、この画像６１に代えて、印刷プロファイルの作成のために印刷機４０での印刷により作成したカラーチャートと同一タイプのカラーチャートを出力したものとし、そのカラーチャートを構成する各カラーパッチを分光測色計７０で測色する。この測色値についても、後述するようにして用紙への蛍光増白剤の影響の分が補正される。こうすることにより、プリンタ６０についての、ＣＭＹＫ４色の色空間上の座標値と測色色空間（ＸＹＺ空間）上の座標値との対応関係をあらわすプリンタプロファイルが構築される。
【００５３】
図５は、プリンタプロファイルの概念図である。
【００５４】
このプリンタプロファイルには、ＣＭＹＫの網％データが入力され、そのＣＭＹＫの網％データがＸＹＺの測色データに変換される。ここでは、この、ＣＭＹＫの網％データをＸＹＺの測色データに変換するプリンタプロファイルをＰであらわし、その逆変換、すなわちＸＹＺの測色データをＣＭＹＫの網％データに変換するプリンタプロファイルをＰ-1であらわす。
【００５５】
尚、ここではプリンタ６０はＣＭＹＫの網％データに基づいて画像を出力するプリンタであるとして説明したが、例えばＲＧＢのデータに基づく画像を出力するプリンタに関しても、パーソナルコンピュータ５０で、ＲＧＢ色空間で定義されたデータを発生させてカラーチャートを出力することにより、同様にしてそのプリンタに適合したプリンタプロファイルを作成することができる。
【００５６】
ただしここでは、ＣＭＹＫの網％データに基づいて画像を出力するプリンタ６０を使用するものとして説明する。
【００５７】
図６は、印刷プロファイルとプリンタプロファイルを結合させた結合プロファイルを示す図である。
【００５８】
印刷用のＣＭＹＫの網％データを印刷プロファイルＴによりＸＹＺの測色データに変換し、次いでそのＸＹＺの測色データをプリンタプロファイルＰ-1により再び、ただし今度はプリンタ用の、ＣＭＹＫの網％データに変換する。このようにして生成したプリンタ用のＣＭＹＫの網％データに基づいて、プリンタ６０により、印刷と同じ色のプルーフ画像を出力することができる。この印刷プロファイルＴとプリンタプロファイルＰ-1との結合からなる結合プロファイルは、印刷用のＣＭＹＫ色空間で定義された画像データをプリンタ用のＣＭＹＫの色空間で定義された画像データに変換する色変換定義である。
【００５９】
図１に示す印刷およびプルーフ画像作成システムを構成するパーソナルコンピュータ８０でこのような色変換定義を作成し、この作成した色変換定義を、図１に示す印刷およびプルーフ画像作成システムを構成するパーソナルコンピュータ５０にインストールして、ワークステーション２０から入力されたＰＤＬで記述された画像データがＣＭＹＫの画像データに変換された後、そのＣＭＹＫの画像データを、その色変換定義を用いてプリンタ用のＣＭＹＫの画像データに変換し、プリンタ６０により、そのプリンタ用のＣＭＹＫの画像データに基づく画像をプリント出力することにより、印刷の画像に対するプルーフ画像が作成される。
【００６０】
尚、図１に示すパーソナルコンピュータ８０で結合プロファイルまで作成する必要は必ずしもなく、パーソナルコンピュータ８０では印刷プロファイルあるいはプリンタプロファイルを作成し、その作成された印刷プロファイルあるいはプリンタプロファイルをパーソナルコンピュータ５０に入力し、パーソナルコンピュータ５０で結合プロファイルを作成してもよい。
【００６１】
次に、用紙に含有された蛍光増白剤の影響分を補正した測色方法について説明する。カラーチャートの測色方法については、印刷機での印刷により作られたカラーチャートであっても、プリンタでプリント出力されたカラーチャートであっても同じであり、ここでは、それらを区別せずに説明する。
【００６２】
図７は、その測色方法の一実施形態を示すフローチャートである。
【００６３】
図２に示す分光測色計７０は、一例として、ＪＩＳ第２水準と呼ばれる、４００ｎｍ〜７００ｎｍの分光反射率を測定してその測定結果からＸＹＺ値を求めるタイプの分光測色計であり、４００ｎｍ〜７００ｎｍの分光反射率とＸＹＺ値との双方を出力することができるように構成されている。
【００６４】
ここでは、先ず、そのカラーチャートが記録された用紙上の白色部（用紙の地色部分；本発明にいう基準色領域の一例）について、短波長カットフィルタなしでＸＹＺ値を測定するとともに（ステップａ１）、短波長カットフィルタを取りつけてＸＹＺ値を測定する（ステップａ２）。ここで、この短波長カットフィルタは、長波長側から短波長側に向かったとき、４２０ｎｍ近傍からその一部のカットを開始し、４００ｎｍではかなりの部分をカットし、３８０ｎｍ程度でほぼ完全にカットする程度の分光透過率分布を有する短波長カットフィルタである。
【００６５】
ここでは、短波長カットフィルタなしで測定されたＸＹＺ値を（Ｘ１，Ｙ１，Ｚ１）、短波長カットフィルタを取り付けて測定された値を（Ｘ０，Ｙ０，Ｚ０）と表記する。
【００６６】
ステップａ１，ステップａ２で測定された用紙白色部について双方のＸＹＺ値（Ｘ１，Ｙ１，Ｚ１；Ｘ０，Ｙ０，Ｚ０）は、図２に示すパーソナルコンピュータ８０に取り込まれ、そのパーソナルコンピュータ８０内で、その用紙の白色部について、それらの間の色差、
ΔＸW＝Ｘ１−Ｘ０
ΔＹW＝Ｙ１−Ｙ０
ΔＺW＝Ｚ１−Ｚ０          ……（２）
が求められる（ステップａ３）。これらの色差ΔＸW，ΔＹW，ΔＺWは、本発明にいう基準補正量の一例に相当する。
【００６７】
次に、その白色部について測定した用紙上に記録されたカラーチャートを構成する多数のカラーパッチそれぞれについて、ここでは、短波長カットフィルタを装着した状態で、測色値（Ｘ０，Ｙ０，Ｚ０）と分光反射率Ｒ２（λ）を測定し（ステップａ４）、その測定結果がパーソナルコンピュータ８０に入力され、パーソナルコンピュータ８０内で短波長側の部分の分光反射率の積
【００６８】
【数１】
0004261761.tif 000002
【００６９】
が求められる（ステップａ５）。ここでは、λ＝４００ｎｍから４２０ｎｍの間の分光反射率が積算される。
【００７０】
パーソナルコンピュータ８０内では、次に、式
ｋ＝（Ｒsum−ｐ）2＋ｐ      ……（４）
但しｐは定数
に基づいて重みｋが求められ（重みｋをこの（４）式に基づいて求める理由については後述する）。さらにその重みｋを用い、式
ΔＸ＝ｋΔＸW
ΔＹ＝ｋΔＹW
ΔＺ＝ｋΔＺW           ……（５）
に基づいて、各カラーパッチに対応する、Ｘ，Ｙ，Ｚの各補正量が求められる（ステップａ６）。
【００７１】
さらに、パーソナルコンピュータ８０内では、各カラーパッチについて、そのカラーパッチの、分光測色計７０での測定により得られた測色値（Ｘ０，Ｙ０，Ｚ０）が、
Ｘ＝Ｘ０＋Ｅｉｌ・ΔＸ
Ｙ＝Ｙ０＋Ｅｉｌ・ΔＹ
Ｚ＝Ｙ０＋Ｅｉｌ・ΔＺ  ……（６）
に基づいて補正され、補正後の測色値Ｘ，Ｙ，Ｚが求められる。ここで、Ｅｉｌは、前述のとおり、蛍光増白剤による影響を示す指数であり、観察光源に応じてあらかじめ求められたものである。印刷プロファイルおよびプリンタプロファイルの双方について上記のようにして補正された測色値を採用してプロファイルを作成することにより、予定された観察光源の下で高精度に色が合致したプルーフ画像を得ることができる。
【００７２】
図８は、上記の（４）式に基づいて重みｋを求める理由の説明図である。
【００７３】
縦軸は、前述の従来例と同様にして各カラーパッチについて求めた、各カラーパッチごとの実際の補正量であり、横軸は、上記の（４）式を使って求めた重みｋと、上記（２）式により求めた、白色部の色差ΔＸw，ΔＹw，ΔＺwとを用いて、式
ΔＸpred＝ｋΔＸW
ΔＹpred＝ｋΔＹW
ΔＺpred＝ｋΔＺW           ……（７）
により求めた推定値である。ただし、この図８では、ＸＹＺ値のうちのＸ値に関してのみ示されている。
【００７４】
蛍光増白剤を含有した用紙を用いたときの色度値のシフト（ΔＸ，ΔＹ，ΔＺ）の原因となっている蛍光増白剤による励起は、短波長側の反射光量と関係しているため、反射光量が大きいと励起量も大きくなって色度値シフト量が大きくなり、反射光量が小さいと励起量も小さくなって色度値シフト量が小さくなるような相関関係が得られると考えられる。
【００７５】
この基本的な考え方を基に短波長側の反射率Ｒと色度値シフト量ΔＸ，ΔＹ，ΔＺとの関係について、その色度値シフト量の実測値との相関が良くなるような条件を探したところ、短波長側の反射率の積
Ｒsum ＝∫Ｒ（λ）ｄλ        ……（８）
の二乗からなる上記（４）の関数
ｋ＝（Ｒsum−ｐ）2＋ｐ      ……（４）
但し、ｐは定数値
を使い、上記（７）式、すなわち、
ΔＸpred＝ｋΔＸW
ΔＹpred＝ｋΔＹW
ΔＺpred＝ｋΔＺW         ……（７）
但し、ΔＸW ，ＹW ，ＺW は白色部の色度値シフト量を表わす。
に基づいて色度値シフト量推定値ΔＸpred，ΔＹpred，ΔＺpredを求めると、図８のように実測値（縦軸）と良好な相関が得られることが判明した。そこで、ここでは、この結果を基にして、上記のような演算により、重みｋを求めているのである。
【００７６】
図９は、本発明の測色方法のもう１つの実施形態を示すフローチャートである。この実施形態において、使用される分光測色計７０（図２参照）の光源の特性や短波長カットフィルタの特性は、前述した実施形態の場合と同一である。
【００７７】
ここでは、蛍光増白剤を含有していると考えられる複数種類の用紙を集めてきて、それらの複数の用紙それぞれについて、図２に示す分光測色計７０を用いて、短波長カットフィルタなし（測色値Ｘ１，Ｙ１，Ｚ１）と短波長カットフィルタ付き（測色値Ｘ０，Ｙ０，Ｚ０）で測色するとともに（ステップｂ１，ｂ２）、短波長カットフィルタ付きでは、それら複数の用紙（すなわち白色部）の分光反射率Ｒ（λ）を測定する（ステップｂ３）。
【００７８】
それらの測定結果は、図２に示すパーソナルコンピュータ８０に入力され、パーソナルコンピュータ８０内では、それらの複数の用紙について、
ΔＸP ＝Ｘ１−Ｘ０
ΔＹP ＝Ｙ１−Ｙ０
ΔＺP ＝Ｚ１−Ｚ０            ……（９）
が算出されるとともに（ステップｂ４）、それらの複数の用紙について
ｄＲP ＝Ｒ（λ１）−Ｒ（λ２）  ……（１０）
が求められる（ステップｂ５）。ここで、Ｒ（λ１），Ｒ（λ２）は、それぞれ波長λ１，λ２の分光反射率であり、ここでは、λ１＝４２０ｎｍ，λ２＝４００ｎｍが選択されている。
【００７９】
ここで、上記（９）式により求められる値ΔＸP，ΔＹP，ΔＺPは、本発明にいう、第３の測色値と第４の測色値との間の差異を表わす値の一例に相当し、ｄＲPは、本発明にいう、指標値の一例に相当する。
【００８０】
次に、パーソナルコンピュータ８０内では、最小二乗法を用いて、
ΔＸP＝ｋx・ｄＲP
ΔＹP＝ｋy・ｄＲP
ΔＺP＝ｋz・ｄＲP            ……（１１）
となる各係数ｋx，ｋy，ｋzが求められる。これらの係数ｋx，ｋy，ｋzは、本発明にいう、差異を表わす値（ΔＸP，ΔＹP，ΔＺP）と指標値（ｄＲP）との対応を表わす対応定義の一例に相当する。
【００８１】
次に、図２に示す分光測色計７０を用いて、カラーチャートが記録された用紙の白色部の分光反射率ＲW（λ）を、短波長カットフィルタ付きで測定する（ステップｂ７）。
【００８２】
この測定結果も図２に示すパーソナルコンピュータ８０に取り込まれ、パーソナルコンピュータ８０内では、
ｄＲW＝Ｒ（λ１）−Ｒ（λ２）      ……（１２）
に基づいて指標値であるｄＲW が求められる。ここで、一例として、λ１＝４２０ｎｍ，λ２＝４００ｎｍである。
【００８３】
パーソナルコンピュータ８０内ではさらに、ステップｂ６で求められた各係数ｋx，ｋy，ｋzと、ステップｂ８で求められた指標値ｄＲWとに基づき、式
ΔＸW ＝ｋx・ｄＲW
ΔＹW ＝ｋy・ｄＲW
ΔＺW ＝ｋz・ｄＲW            ……（１３）
に基づいて、カラーチャートが記録された用紙の白色部の色度値シフト量（本発明にいう基準補正量の一例）ΔＸW，ΔＹW，ΔＺWが求められる（ステップｂ９）。
【００８４】
このようにして用紙の白色部の色度値シフト量ΔＸW，ΔＹW，ΔＺWを求めた後の、各ステップｂ１０〜ｂ１３は、図７を参照して説明した実施形態の各ステップａ４〜ａ７とそれぞれ同一であり、ここでは重複説明は省略する。
【００８５】
ここでは、図９のすべてのステップｂ１〜ｂ１３が図２に示す分光測色計７０とパーソナルコンピュータ８０とを用いて行われるように説明したが、ステップｂ１〜ｂ６は、例えばプリンタのメーカ側であらかじめ求めておき、プリンタのユーザに配布するようにし、ユーザ側では、それ以降の各ステップｂ７〜ｂ１３についてのみ実施してもよい。この場合、ユーザ側では、短波長カットフィルタの取付け、あるいは取外しが不能な、すなわち、この図９に示す例では短波長カットフィルタが取り付けられたままの分光光度計を用いることができる。
【００８６】
尚、図９に示す実施形態において、ステップｂ１〜ｂ６の処理を行なうのに用いられる複数の用紙は、作成されるプロファイルの種類（例えば印刷プロファイルとプリンタプロファイルとの別）に応じて別々のものであってもよいが、必ずしもそうである必要はなく、作成されるプロファイルの種類によらずに様々な用紙を集めたものであってもよい。
【００８７】
また、図７に示す実施形態におけるステップａ４、および図９に示す実施形態におけるステップｂ３，ｂ７，ｂ１０では、短波長カットフィルタ付きで分光反射率を測定したが、それに代わり、分光反射率の測定は短波長カットフィルタなしのもので行なってもよい。
【００８８】
また、図７，図９に示す各実施形態では、本発明にいう基準色領域として用紙の白色部が採用されているが、必ずしも白色部である必要はなく、例えば、ある濃度のグレーの領域を基準色領域としても採用してもよい。
【００８９】
さらに、図７，図９を参照して説明した各実施形態では、重みｋを求めるにあたり、上述の（３）式ないし（８）式を採用したが、これは実験式であり、必ずしもこのとおりの式を採用する必要はなく、適切な重みが求められる方法であればどのような方法を採用してもよい。
【００９０】
さらに、図７，図９を参照して説明した各実施形態では、カラーチャートが記録された用紙の白色部を基準色領域として採用したが、カラーチャートが記録された用紙そのものの白色部を測定することに代えて、その用紙と同一種類の、あるいは同一特性を持った他の用紙の白色部を測定してもよいことはもちろんである。
【００９１】
さらに、図７，図９を参照して説明した各実施形態では、分光測色計としてＪＩＳ第２水準の４００ｎｍ〜７００ｎｍの分光反射率を測定する分光測色計を採用する旨説明したが、それに限られるものではなく、例えばＪＩＳ第１水準の、３８０ｎｍ〜７８０ｎｍの領域について測光を行なうものを採用してもよい。
【００９２】
その他短波長カットフィルタ、上述のＲ１，Ｒ２についても、上で説明したものとは別の特性のフィルタや波長を選択してもよい。
【００９３】
さらに、上記の実施形態では、印刷機で得られたカラーチャートとプリンタでプリント出力されたカラーチャートを測色するときの測色方法について説明したが、本発明は測色の対象が限定されるものではなく、例えば図１に示すカラースキャナ１０で読み取られる原稿画像の１つとしてのカラーチャートを測色してもよく、カラーチャート以外の画像を測色の対象としてもよい。
【００９４】
【発明の効果】
以上説明したように、本発明によれば、蛍光増白色の影響を補正した測色を行なうにあたり、その作業を短時間で行なうことができる。
【図面の簡単な説明】
【図１】本発明の一実施形態が適用された印刷およびプルーフ画像作成システムの全体構成図である。
【図２】図１にブロックで示す分光測色計およびパーソナルコンピュータの外観斜視図である。
【図３】パーソナルコンピュータのハードウェア構成図である。
【図４】印刷プロファイルの概念図である。
【図５】プリンタプロファイルの概念図である。
【図６】印刷プロファイルとプリンタプロファイルを結合させた結合プロファイルを示す図である。
【図７】本発明の測色方法の一実施形態を示すフローチャートである。
【図８】重みｋの求め方の説明図である。
【図９】本発明の測色方法のもう１つの実施形態を示すフローチャートである。
【符号の説明】
１０    カラースキャナ
２０    ワークステーション
３０    フィルムプリンタ
４０    印刷機
５０    パーソナルコンピュータ
６０    プリンタ
７０    分光測色計
８０    パーソナルコンピュータ
【図１】
0004261761.tif 000003
【図２】
0004261761.tif 000004
【図３】
0004261761.tif 000005
【図４】
0004261761.tif 000006
【図５】
0004261761.tif 000007
【図６】
0004261761.tif 000008
【図７】
0004261761.tif 000009
【図８】
0004261761.tif 000010
【図９】
0004261761.tif 000011